(57)【要約】【課題】  上方に棚や他の設置物がある場所にも問題なく設置できると共に、食器の出し入れもしやすく、更に、扉の閉鎖が少ない力でできて、取扱性に優れるようにする。【解決手段】  扉４２が、開放時に、本体４１の開口部の下方側に伏せて重ね置かれる下扉４３及び上扉４４から成るものとすると共に、扉４２を閉鎖する操作をするための手懸部（閉操作部）５３を、上扉４４に設けた。これにより、扉４２は、開放時に、上方に棚や他の設置物がある場所でも、それらに当たるようなことがなく、問題なく設置できる。又、開放時、扉４２は食器の出し入れの邪魔になることもなく、食器の出し入れをしやすくできる。そして、扉４２の閉鎖時には、手懸部５３による操作で上扉４４を引き上げて、下扉４３をも引き上げ、かくして扉４２を閉鎖するため、扉４２を閉鎖する操作が少ない力でできるようになり、取扱性に優れる。【選択図】  図１
2006204354.tif 000002
【特許請求の範囲】
【請求項１】
内部で食器を洗浄する洗浄室を有すると共に、その洗浄室に対して食器を出し入れするための開口部を前面側に有する本体と、
この本体に前記開口部を開閉するように設けられた扉とを具備し、
その扉が、開放時に、前記開口部の下方側に伏せて重ね置かれる下扉及び上扉から成るものとすると共に、
扉を閉鎖する操作をするための閉操作部を、前記上扉に設けたことを特徴とする食器洗浄機。
【請求項２】
扉を閉鎖したときに扉を本体に係止するラッチを、上扉に設けたことを特徴とする請求項１記載の食器洗浄機。
【請求項３】
ラッチを、上扉の上下の中間部又は左右の中間部に設けたことを特徴とする請求項２記載の食器洗浄機。
【請求項４】
閉操作部を、ラッチの近傍に設けたことを特徴とする請求項２記載の食器洗浄機。
【請求項５】
扉を閉鎖状態に係止した状態から解放する操作をする解放操作体を、閉操作部の下位に設けたことを特徴とする請求項１記載の食器洗浄機。
【請求項６】
洗浄室からの排気をする排気口を、上扉の閉操作部の側方に設けたことを特徴とする請求項１記載の食器洗浄機。
【請求項７】
上扉が下扉にスライド可能に組み合わされて、且つ、自重により開放するものであって、その上扉を支持する支持部材と本体との間に、上扉を閉鎖方向に付勢する付勢部材を設けたことを特徴とする請求項１記載の食器洗浄機。
【請求項８】
上扉が下扉にスライド可能に組み合わされて、且つ、自重により開放するものであって、その上扉を支持する支持部材と本体との間に、上扉の開放に制動力を与えるダンパ機構を設けたことを特徴とする請求項１記載の食器洗浄機。
【請求項９】
扉を開放したとき、上扉を支持した支持部材が、この支持部材が貫通した本体の開口部を塞ぐことを特徴とする請求項１記載の食器洗浄機。
【発明の詳細な説明】
【技術分野】
【０００１】
本発明は、扉を下扉と上扉とに分けて有する食器洗浄機に関する。
【背景技術】
【０００２】
従来より、食器洗浄機においては、扉を下扉と上扉とに分けて有するものが供されている。図１７はその第１例を示しており、本体１の前面部に、扉２が、下扉２ａと、上扉２ｂとに分けて設けられ、開放時に、該扉２は、下扉２ａと上扉２ｂとで上方に折り畳まれて開放されるようになっている。
図１８は第２例を示しており、本体１１の前面部に、扉１２が、同じく下扉１２ａと、上扉１２ｂとに分けて設けられ、開放時に、該扉１２は、下扉１２ａが下方へ回動され、上扉１２ｂが上方へ回動されて開放されるようになっている。
【０００３】
図１９は第３例を示しており、本体２１の前面側に、扉２２が、同じく下扉２２ａと、上扉２２ｂとに分けて設けられ、開放時に、該扉２２は、下扉２２ａが下方へ回動され、上扉２２ｂがワイヤ２３ａを主体とする連動機構２３により上方へスライド移動されて、開放されるようになっている。
【０００４】
そして、図２０は第４例を示しており、本体３１の前面部に、扉３２が、同じく下扉３２ａと、上扉３２ｂとに分けて設けられ、開放時に、該扉３２は、下扉３２ａが下方へ回動され、上扉３２ｂがリンク３３ａを主体とする連動機構３３により本体３１から離間されて下扉３２ａの上に伏せて重ね置かれることにより、開放されるようになっている。又、このものの場合、扉３２を閉鎖する操作をするための閉操作部である手懸部３４は、下扉３２ａに設けられ、この下扉３２ａに設けられた手懸部３４に使用者が手を懸けて、下扉３２ａを引き上げることにより、連動機構３３を介して上扉３２ｂをも押し上げ、かくして扉３２を閉鎖するようになっている。
【特許文献１】特開２００２−１０９６１号公報
【発明の開示】
【発明が解決しようとする課題】
【０００５】
上記従来のもののうち、第１例のものでは、開放時、扉２が下扉２ａと上扉２ｂとで上方に折り畳まれて開放されるものの、それら下扉２ａ及び上扉２ｂが本体１上で起立するため、上方に棚等が低めにあれば、それに下扉２ａ又は上扉２ｂが当たり、扉２の開放が充分にできなくなる。よって、そのような場所には食器洗浄機を設置することができないという問題点を有していた。
【０００６】
これに対して、第２例のものでは、開放した上扉１２ｂはほゞ水平に止められるものであり、従って、上方に低めに棚等があってもそれに上扉１２ｂが当たる心配はないものの、この上扉１２ｂが本体１１の前方に突き出るため、本体１１内の洗浄室に対する食器の出し入れがしにくい、すなわち、上扉１２ｂが食器の出し入れの邪魔になるという問題点を有していた。
【０００７】
一方、第３例のものでは、開放時、上方へスライド移動された上扉２２ｂが本体２１上に位置するため、第１例のものほどではないものの、上方に位置する他の設置物があれば、それに上扉２２ｂが当たり、扉２２の開放が充分にできなくなるので、そのような場所には食器洗浄機を設置することができないという問題点を有していた。
【０００８】
そして、第４例のものでは、開放した上扉３２ｂは下扉３２ａの上に伏せて重ね置かれるものであり、従って、上方に棚や他の設置物があっても、それに上扉３２ｂが当たる心配はなく、又、上扉３２ｂが食器の出し入れの邪魔になることもないものの、扉３２を閉鎖する操作をするための閉操作部である手懸部３４が下扉３２ａに設けられ、この下扉３２ａに設けられた手懸部３４に使用者が手を懸けて、下扉３２ａを引き上げることにより、連動機構３３を介して上扉３２ｂを押し上げ、かくして扉３２を閉鎖するようになっているため、扉３２を閉鎖する操作に大きな力が要り、取扱性に劣っていた。
【０００９】
本発明は上述の事情に鑑みてなされたものであり、従ってその第１の目的は、上方に棚や他の設置物がある場所にも問題なく設置できると共に、食器の出し入れもしやすく、更に、扉の閉鎖が少ない力ででき、取扱性に優れる食器洗浄機を提供するにある。
【課題を解決するための手段】
【００１０】
上記目的を達成するために、本発明の食器洗浄機においては、内部で食器を洗浄する洗浄室を有すると共に、その洗浄室に対して食器を出し入れするための開口部を前面側に有する本体と、この本体に前記開口部を開閉するように設けられた扉とを具備し、その扉が、開放時に、前記開口部の下方側に伏せて重ね置かれる下扉及び上扉から成るものとすると共に、扉を閉鎖する操作をするための閉操作部を、前記上扉に設けたことを特徴とする。
【発明の効果】
【００１１】
上記手段によれば、扉は、開放時に、本体の開口部の下方側に伏せて重ね置かれる複数の単位扉から成るものであり、それによって、上方に棚や他の設置物がある場所でも、それらに扉が当たるようなことがなく、問題なく設置できる。又、開放時、複数の単位扉が伏せて重ね置かれる扉は食器の出し入れの邪魔になることもなく、食器の出し入れをしやすくできる。
そして、扉を閉鎖する操作をするための閉操作部は上扉に設けており、これによって、扉の閉鎖時には上扉を引き上げて、下扉をも引き上げ、かくして扉を閉鎖するため、扉を閉鎖する操作が少ない力でできるようになり、取扱性に優れる。
【発明を実施するための最良の形態】
【００１２】
以下、本発明の第１実施例（第１の実施形態）につき、図１ないし図１２を参照して説明する。
まず、図１には、本体４１と、これの前面側に設けた扉４２を示している。このうち、扉４２は、下扉４３と上扉４４から成っている。
【００１３】
一方、本体４１は、外箱４５を外殻とし、これの内部に図２に示す内箱４６を配設して、該内箱４６の内部を洗浄室４７としている。この洗浄室４７は、前面側、この場合、図３（ロ）、（ハ）に示すように、前面部から上面の前部にかけた部分が開口（開口部４８）しており、洗浄室４７内には、その開口部４８から下食器かご４９と上食器かご５０とを引出し可能に収納している。これらの食器かご４９，５０は、食器５１を収納配列するものであり、従って、開口部４８は、それら食器かご４９，５０の出し入れと共に食器５１の出し入れに供するようになっている。
【００１４】
このほか、洗浄室４７内には、図示しない噴水体やヒータ等を配設し、洗浄室４７外（本体４１内）に同じく図示しない給水弁や水位検知装置、洗浄ポンプ、排水ポンプ、及び送風機等を配設して、これらの洗浄手段及び乾燥手段により、上記両食器かご４９，５０に収納配置した食器５１の洗浄及び乾燥を行うようになっている。
【００１５】
そして、図１に示すように、扉４２には、上述の洗浄及び乾燥の運転について必要な操作をするための操作パネル５２を、下扉４３の前面部のほゞ中央に設けている。又、扉４２を閉鎖する操作をするための閉操作部である手懸部５３を、上扉４４の前面部のやゝ上方寄りの部位に例えば横長状の凹部で設け、その側方、特には左右の両側方に、もっぱら乾燥時の排気をする排気口５４を設けている。加えて、扉４２を閉鎖状態に係止した状態から開放する操作をする解放操作体である例えば横長状の押釦５５を、上扉４４の前面部の上記手懸部５３及び排気口５４より下位に設けている。
【００１６】
上記排気口５４は、図２に示すように、裏側をカバー５６で通気可能に覆って洗浄中の水が機外に噴出するのを防止するようにしており、そのほか、上扉４４の内面には洗剤受け部５７を設けている。
【００１７】
そして、図３（イ）〜（ハ）に示すように、下扉４３は、下端部の左右両側を、支軸５８によって本体４１に上下回動可能に取付け支持している。又、上扉４４には、左右の両側面部の外側に、ガイド部としての溝５９を形成している。この溝５９は、詳細には、扉４２の閉鎖状態で、上扉４４の左右両側面部の前側を上部から下部へ垂直状に延び、そして、下端側５９ａにおいては前側から後下がりに傾斜して延びる形態に形成しており、その傾斜角度θ１は垂直線に対して６０度以下、特には４０度としている。
【００１８】
又、溝５９の下端側５９ａの延びの関係上、上扉４４の左右両側面部の下端側は、下扉４３よりも本体４１側に突出する突出部６０としている。すなわち、上扉４４は、溝５９の下端側５９ａを突出部６０に有している。
【００１９】
これに対して、下扉４３には、左右両側壁の上部の外側に耳のような張出部６１を係合部材として形成し、これにより上扉４４を挟むようにしている。又、この張出部６１の後部内側には、係合部として突起６２を図５に示すように形成しており、この突起６２を、上述の溝５９に嵌入させて係合させ、溝５９がこの突起６２を沿わせて移動するスライド構造にて、下扉４３に上扉４４をスライド可能に結合している。又、溝５９は、その下端５９ｂを図２に示すように開放させており、それによって、上扉４４を下扉４３に対し着脱可能としている。
【００２０】
なお、この場合、図５に示すように、張出部６１は下扉４３と一体であるが、別体としてねじ等により取付けるようにしても良い。又、上扉４４の左右両側外面と下扉４３の左右両側外面とはほゞ面一で、それらより張出部６１のみが外側に突出している。更に、突起６２は、先端に小突起６２ａを有していて、それを溝５９の奥面に当接させることにより、上扉４４の外側面と張出部６１の内面とのとの間に隙間Ｇが保たれ、上扉４４の外側面を張出部６１の内面で摺って傷付けることのないようにしている。
【００２１】
そして、上扉４４の内面の周縁部には、２条の防水用のリブ６３，６４を形成しており、下扉４３の内面の周縁部にも、同じく２条の防水用のリブ６５，６６を形成している。このうち、上扉４４のリブ６３，６４は、上扉４４の内面の左右の両側縁部と上縁部とに存し（図２参照）、下扉４３のリブ６５，６６は、下扉４３の内面の左右の両側縁部と下縁部とに存している。
【００２２】
これらに対して、本体４１には、図６に示すように、開口部４８の左右、上下の全周縁部に、同じく２条の防水用のリブ６７，６８を形成しており、このリブ６７，６８間の溝部６９には、奥部にゴムなど弾性材から成るシール部材７０を配設していて、これに、上記上扉４４のリブ６４並びに下扉４３のリブ６６（図６では下扉４３のリブ６６のみ図示）がそれぞれ先端部を圧接させることにより、扉４２閉鎖状態での本体４１と扉４２との間の密封（開口部４８の密封）をするようにしている。
【００２３】
なお、前記シール部材７０に先端部を圧接させた上扉４４のリブ６４並びに下扉４３のリブ６６は、溝部６９内に入って本体４１のリブ６７，６８と内外に重なり合い、更に、その内方で、上扉４４のリブ６３並びに下扉４３のリブ６５（これも図６では下扉４３のリブ６５のみ図示）が本体４１のリブ６７と重なり合って、扉４２閉鎖状態での本体４１と扉４２との間の防水効果を高めるようにしている。
【００２４】
又、この場合、図５に示すように、上扉４４のリブ６３，６４は、その高さを上扉４４の厚さＴ４４とほゞ同等としており、下扉４３のリブ６５，６６も、その高さを下扉４３の厚さＴ４３とほゞ同等とし、これらによって、上扉４４と下扉とが後述のごとく開放状態で上下に重なったときの厚さ寸法を最小限に抑え、上扉４４の上に引出される下食器かご４９の洗浄室４７内並びに洗浄室４７外における位置をできる限り下方に設定して、下食器かご４９の出し入れ、並びに引出した該下食器かご４９に対する食器５１の出し入れが容易にできるようにしている。
【００２５】
図７は、参考に、従来のものの上扉（下扉）２０１の防水リブ２０２，２０３の高さを示しており、この防水リブ２０２，２０３は、上扉２０１の厚さＸより寸法Ｙだけ突出しており、総じて上扉２０１の厚さはＸ＋Ｙ＝Ｚとなっていた。このため、上扉２０１と下扉（図示せず）とが開放状態で上下に重なったときの厚さ寸法は、本実施例構造のものより大きくなり、その分、上扉２０１の上に引出される下食器かごの洗浄室内並びに洗浄室外における位置も高くなって、下食器かごの出し入れ、並びに引出した該下食器かごに対する食器の出し入れが本実施例構造のものほど容易にできるものではなかった。
【００２６】
図８は、下扉４３と上扉４２との分割面７１（下扉４３の上端面、上扉４２の下端面）を詳細に表しており、この分割面７１も後下がりに傾斜させており、その傾斜は前記上扉４４における溝５９の下端側５９ａの傾斜にほゞ沿い、もしくはその傾斜角度θ２を溝５９の下端側５９ａの傾斜角度θ１より小さくしている。
【００２７】
図８には又、上扉４４と下扉４３との間のシール構造を示しており、上扉４４の下端部の後側には、ひれ部７２ａを有するゴムなど弾性材から成るシール部材７２を、上扉４４の表面部材４４ａと内側部材４４ｂとで挟着している。加えて、上扉４４の下端部の前側には凸部７３を形成し、シール部材７２よりも後側に、下方へ延びる防水壁７４を延設している。
【００２８】
これらに対して、下扉４３の上端部には、前から順に、凹部７５と、シール接触面７６、及び段部７７を形成しており、扉４２の閉鎖状態で、凹部７５には上記上扉４４の凸部７３が嵌合し、シール接触面７６にはシール部材７２のひれ部７２ａが圧接し、段部７７には防水壁７４が当接して、この防水壁７４が下扉４３と上扉４４のシール部分を洗浄室４７の内側から覆い、これらによって、上扉４４と下扉４３との間の密封をするようにしている。
【００２９】
しかして、上記凹部７５と凸部７３は傾斜しており、その傾斜は前記下扉４３と上扉４４との分割面７１の傾斜と同方向としている。
なお、図９は、扉４２（上扉４４と下扉４３）が閉鎖する直前の状態を示しており、後述で明らかとなるように、上扉４４が図示の矢印方向に進んで上述の密封状態となる。
【００３０】
図３（イ）に示した上扉４４の前記突出部６０の後下方には、支持部材７８を着脱可能な取付部材としての図２に示すねじ７９によって取付けており、この支持部材７８には、内側に図１０に示す突起８０を係合部として設け、この突起８０を、本体４１（内箱４６の外側面部）に上下に延びるように形成したガイド部である溝８１に係合させ、ひいては支持部材７８を本体４１に上下移動可能に取付け、かくして、上扉４４を本体４１に上下移動可能に取付け支持している。
【００３１】
又、支持部材７８には、連結部材８２の一端部を上記突起８０の外側で連結ピン８３によって上下回動可能に連結しており、連結部材８２の他端部は、図３（イ）に示すように、下扉４３の下部の後側に延設した連結部８４の基部に連結ピン８５によって上下回動可能に連結している。
【００３２】
連結部８４の先端部と本体４１との間には、引張コイルスプリング８６を張架しており、他方、支持部材７８の先端部と本体４１との間にはダンパ機構８７を架設し、更に、そのダンパ機構８７の固定側（本体４１側）と可動側（支持部材７８側）との間には、引張コイルスプリング８８を張架し、かくして、本体４１と支持部材７８との間にも引張コイルスプリング８８を張架している。
上記引張コイルスプリング８６，８８は、下扉４３と上扉４４とを閉鎖方向に付勢する付勢部材であり、それらの付勢力よりも、上扉４４と下扉４３のそれぞれ自重による開放方向のモーメントが勝るようにしている。
【００３３】
そして又、上扉４４には、ラッチ８９を裏側から後方へ突出するように設けている。このラッチ８９は、上扉４４の上下の中間部に位置するもので、図２に示すように、左右の両側に設けており、このラッチ８９の近傍に前記手懸部５３が位置している。しかして、このラッチ８９は、図１１及び図１２に詳細に示すように、本体４１に形成した孔９０を通ってその下側に係合するもので、すなわち、本体４１の孔９０の下側がラッチ８９が係合する係止部９１となっている。
【００３４】
更に、ラッチ８９は、上扉４４に内設した連軸９２の両端に設けており、その連軸９２を前記押釦５５が押圧操作されることで回転させるようにし、それによって、上記係止部９１に対するラッチ８９の係合が解除されるようにしている。
【００３５】
加えて、本体４１の係止部９１後方の位置には、レバー９３を図３（イ）、（ロ）に示す支軸９４によって枢支し、更にその後方にスイッチ９５を配設していて、係止部９１に係合するラッチ８９により、レバー９３が前側の一端部を押し下げられて、下側の他端部によりスイッチ９５を操作し、それによって、食器洗浄機の運転が実行できるようにしている。従って、それらレバー９３、スイッチ９５は、上扉４４の開閉、ひいては扉４２の開閉に応動するドアスイッチとして機能し、更には扉開閉検知手段として機能するようになっている。
【００３６】
又、本体４１には、前部の中間部に前方に開放する凹部９６を形成しており、この凹部９６に前記上扉４４の突出部６０が嵌入するようにしている。従って、凹部９６は上扉４４の一部が嵌入する嵌入部であり、その嵌入がしやすいように、凹部９６は最前部が上下に広く、後方に向かって先細状となるように形成している。なお、それらに合わせて、張出部６１も、同形状に形成している。
【００３７】
更に、本体４１には、前記上扉４４の支持部材７８が通る開口部９７をスリット状に形成しており、この開口部９７を、上扉４４（扉４２）の開放状態では、図３（ハ）及び図２に示すように、支持部材７８が閉塞するようにしている。
このほか、図４（ロ）には、洗浄室４７内における下食器かごガイド９８及び上食器かごガイド９９を示している。又、図２には、下食器かごガイド９８の引出し案内用に、上扉４４の内面の左右両側縁部に形成した案内部１００を示している。
【００３８】
さて、上記構成のものの場合、扉４２（下扉４３及び上扉４４）が図３（イ）に示す閉鎖状態にあるとして、この状態から、使用者が押釦５５を押圧操作すると、ラッチ８９が本体４１の係止部９１との係合を解除されると共に、ラッチ８９によるレバー９３の前側の一端部の押し下げが解除されて、該レバー９３の下側の他端部によるスイッチ９５の操作が解除されるので、食器洗浄機の運転が実行できない状態となる。
【００３９】
又、それと同時に、本体４１のシール部材７０の反発力と、上扉４４及び下扉４３の自重による開放方向のモーメントとにより、上扉４４が、自動的に、溝５９を下扉４３の張出部６１が有した突起６２に沿わせて下方へ移動させることにより、下扉４３に対して下方へスライドする。このとき、溝５９の下端側５９ａが後下がりに傾斜していることで、上扉４４のスライド、特には上扉４４が下扉４３と面一となった状況から下扉４３に重なるときのスライドは円滑に行われる。又、それには、下扉４３と上扉４４の分割面７１の傾斜を溝５９の下端側５９ａの傾斜にほゞ沿わせたことや、分割面７１の傾斜角度θ２を溝５９の下端側５９ａの傾斜角度θ１より小さくしたこと、並びに溝５９の下端側５９ａの傾斜角度θ１を垂直線に対して６０度以下としたこと、そして、下扉４３の凹部７５と上扉４４の凸部７３の傾斜を下扉４３と上扉４４との分割面７１の傾斜と同方向としたことも有効で、それらにより、上扉４４のスライドは円滑に行われる。
【００４０】
そして、それと共に、図３（ロ）に示すように、下扉４３が支軸５８を中心に前下方へ回動し、最終的に、図３（ハ）に示すように、上扉４４及び下扉４３が本体４１の開口部４８の下方側でともに伏せた水平状態となって内面部を上に向け、下扉４３の上に上扉４４が重ね置かれて開口部４８を開放した状態となる。
【００４１】
又、このときの上扉４４及び下扉４３の開放は、それら上扉４４及び下扉４３の自重が引張コイルスプリング８６，８８の付勢力に抗することで、最初はゆっくりであるが、徐々に加速度を増して速くなろうとする。それに、ダンパ機構８７が対抗して制動し、よって、上扉４４及び下扉４３の開放は最初から全開位置までの全部を通じてゆっくり行われる。
【００４２】
又、上扉４４の支持部材７８の突起８０は、途中まで溝８１の最上部の位置にあって上扉４４の回動支点として機能し、最終的には溝８１の最下部まで下降する。
なお、図４（イ）には、開放した上扉４４の上に引出した下食器かご４９を表しており、図４（ロ）には、同じく引出した上食器かご５０を表している。又、それらの図４（イ），（ロ）及び図３（ハ）に示すように、扉４２を開放した状態では、上扉４４の前端部と下扉４３の前端部の上下間に側面形がほゞ三角形の隙間１０１が形成されるようになっている。
【００４３】
そして、上述のように開放した扉４２を閉鎖させるには、使用者が手を隙間１０１に入れて上扉４４の手懸部５３に懸け、上扉４４を引き上げる。すると、下扉４３も引き上げられて上述とは逆に支軸５８を中心に後上方へ回動し、それに伴い、上扉４４が溝５９を下扉４３の張出部６１が有した突起６２に沿わせて上方へ移動させることにより、下扉４３に対して上方へスライドし、最終的に、図３（イ）に示したように、上扉４４及び下扉４３がともに垂直状態となって内面部を後方に向け、下扉４３の上に上扉４４が連なって開口部４８を閉鎖した状態となる。
【００４４】
又、このときにも、溝５９の下端側５９ａが後下がりに傾斜していることや、下扉４３と上扉４４の分割面７１の傾斜を溝５９の下端側５９ａの傾斜にほゞ沿わせたこと、分割面７１の傾斜角度θ２を溝５９の下端側５９ａの傾斜角度θ１より小さくしたこと、溝５９の下端側５９ａの傾斜角度θ１を垂直線に対して６０度以下としたこと、並びに下扉４３の凹部７５と上扉４４の凸部７３の傾斜を下扉４３と上扉４４との分割面７１の傾斜と同方向としたことで、上扉４４のスライド、特には下扉４３の上に上扉４４が連なって面一となるときのスライドは、やはり円滑に行われる。
【００４５】
更に、この間も、引張コイルスプリング８６，８８やダンパ機構８７及び上扉４４の支持部材７８の突起８０は、図３（ハ）から（ロ），（イ）に示すように（開放時とは逆）変化する。更に、ラッチ８９が係止部９１に係合し、扉４２を閉鎖状態にロックすると共に、レバー９３がラッチ８９により前側の一端部を押し下げられて、下側の他端部によりスイッチ９５を操作し、食器洗浄機の運転が実行できるようになる。
【００４６】
このように本構成のものでは、扉４２は、開放時に、本体４１の開口部４８の下方側に伏せて重ね置かれる下扉４３と上扉４４から成るものであり、それによって、上方に棚や他の設置物がある場所でも、それらに扉４２が当たるようなことがなく、問題なく設置できる。又、この場合、設置箇所の上方に余分なスペースを確保する必要がなく、その分、本体４１の高さを大きくすることができるので、食器５１の収容量を増すことができ、あるいは大きな食器５１の収容、洗浄に有利なようにできる。
更に、開放時、上記複数の単位扉が伏せて重ね置かれる扉４２は、食器５１の出し入れの邪魔になることもなく、食器５１の出し入れをしやすくできる。
【００４７】
そして、扉４２を閉鎖する操作をするための閉操作部である手懸部５３は、上扉４４に設けており、これによって、扉４２の閉鎖時には上扉４４を引き上げて、下扉４３をも引き上げ、かくして扉４２を閉鎖するため、従来の、下扉３２ａを引き上げることにより、上扉３２ｂを押し上げるものより、扉４２を閉鎖する操作が少ない力でできるようになり、取扱性に優れるようにできる。
【００４８】
加えて、本構成のものでは、扉４２を閉鎖したときに扉４２を本体４１に係止するラッチ８９を、上扉４４に設けており、それによって、上述のごとく上扉４４を操作する使用者の手の力で、ラッチ８９を確実に本体４１に係止させることができるので、扉４２の閉鎖状態の係止（ロック）が確実にでき、洗浄室４７の水封が確実にできる。
【００４９】
又、ラッチ８９は、上扉４４の上下の中間部に設けており、それによって、ラッチ８９を本体４１に係止させたとき、上扉４４を片寄らせず本体４１に全体均等に押し付けることができて、下扉４３の上端部も本体４１に確実に押し付けることができるので、洗浄室４７の水封がやはり確実にできる。
なお、ラッチ８９は上扉４４の上下の中間部でなく、左右の中間部に設けても上述同様の作用効果を得ることができる。
【００５０】
更に、手懸部（閉操作部）５３を、ラッチ８９の近傍に設けており、それによって、上扉４４を操作する使用者の手の力で、ラッチ８９をより確実に本体４１に係止させることができるので、扉４２の閉鎖状態の係止もより確実にでき、洗浄室４７の水封が一段と確実にできる。
【００５１】
そして、扉４２を閉鎖状態に係止した状態から解放する操作をする解放操作体である押釦５５を、手懸部５３の下位に設けており、それによって、扉４２を閉鎖する操作をするときに、使用者の手が押釦５５に触れにくく、扉４２を確実に閉鎖状態に係止できると共に、扉４２を開放する操作をするときには、押釦５５が低位置にあって使用者の手が届きやすく、操作性を良くすることができる。
【００５２】
又、洗浄室４７からの排気をする排気口５４を、上扉４４の手懸部５３の側方に設けており、それによって、扉４２を閉鎖する操作をするときに、使用者の手が排気口５４に触れにくく、食器の乾燥後に熱くなったままの排気口５４に誤って触れることのないようにできる。
【００５３】
更に、上扉４４が下扉４３にスライド可能に組み合わされて、且つ、自重により開放するものであって、その上扉４４を支持する支持部材７８と本体４１との間に、上扉４４を閉鎖方向に付勢する付勢部材として引張コイルスプリング８８を設けており、それによって、扉４２を開放するときに、上扉４４の自重による開放の勢いを制することができて、適度な速度で開放するようにできる。しかも、扉４２を閉鎖するときには、上扉４４の閉鎖を助勢できるため、使用者の力を軽減できて、操作性を良くすることができる。
【００５４】
又、上記支持部材７８と本体４１との間には、上扉４４の開放に制動力を与えるダンパ機構８７を設けており、それによって、やはり、扉４２を開放するときに、上扉４４の自重による開放の勢いを制することができて、適度な速度で開放するようにでき、商品性を良くすることができる。
【００５５】
そのほか、上記支持部材７８は、それが貫通した本体４１の開口部９７を塞ぐようにもしており、それによって、その開口部９７から本体４１内が見えることの内容にできて、商品の品位を良くでき、併せて、開口部９７から本体４１内に異物が入れられたりしないようにもできる。
又、扉４２の開放は自動的に行われるものであり、それによって、使い勝手を一層良くできる。
【００５６】
以上に対して、図１３ないし図１６は本発明の第２及び第３実施例（第２及び第３の実施形態）を示すもので、第１実施例と同一又は同様の部分には同一の符号を付して説明を省略し、異なる部分についてのみ述べる。
【００５７】
［第２実施例］
図１３に示す第３実施例においては、上扉４４の溝５９を、内側部材４４ｂの延長部分１２１に形成し、更に、その縁部５９ｃを外側方へ突出させて形成していて、それに前述の張出部６１に代わる張出部１２２が有する突起６２の近傍部分を当接させることにより、上扉４４の外側面と張出部１２２の内面との間に隙間Ｇが保たれ、上扉４４の外側面を張出部１２２の内面で摺って傷付けることのないようにしている。
【００５８】
又、この場合、張出部１２２は下扉４３にねじ１２３によって取付ける別部品とし、その外面には化粧部材１２４を装着して、外観の品位を高めるようにしている。更に、下扉４３側面部及び上扉４４の側面部も、別体の飾り部材１２５，１２６で構成することによって、同じく外観の品位を高めるようにしている。
【００５９】
［第３実施例］
図１４ないし図１６に示す第４実施例においては、まず、上扉４４の前面部に、排気口１３１と、前述の手懸部５３に代わる閉操作部である取手１３２とを上下に分けて設けている。
又、本体４１の凹部（嵌入部）１３３を、前述の凹部９６に代えて、半円形に形成しており、上扉４４の突出部１３４と張出部１３５も、それぞれ前述の突出部６０及び張出部６１に代えて、半円形に形成している。
【００６０】
更に、下食器かご４９には、円筒状の例えばプラスチックから成るすべり部材１３６を装着しており、これを上扉４４の裏面部に形成したかごガイド１３７が下食器かご４９の引出し時に案内するようにしている。
加えて、上扉４４には、上記突出部１３４から連結部１３８を延設し、この連結部１３８に連結部材１３９の一端部を連結ピン１４０によって上下回動可能に連結し、連結部材１３９の他端部は、本体４１に支軸１４１によって上下回動可能に支持させている。そして、本体４１と連結部材１３９の中間部との間に、引張コイルスプリング８８を張架している。
このようにしても、基本的に第１実施例と同様の作用効果を得ることができる。
【００６１】
このほか、本発明は上記し且つ図面に示した実施例にのみ限定されるものではなく、その１つとして、手懸部５３や取手１３２で例示した閉操作部は、上扉４４に印刷やシートの貼着等でマーキングしただけの構成で設けられたものであっても良いなど、要旨を逸脱しない範囲内で適宜変更して実施し得る。
【図面の簡単な説明】
【００６２】
【図１】本発明の第１実施例を示す全体の外観斜視図
【図２】主要部分の扉開放状態での斜視図
【図３】破断側面図で、（イ）が扉閉鎖状態、（ロ）が扉開放途中（閉鎖途中）状態、（ハ）が扉開放状態をそれぞれ示す図
【図４】破断側面図で、（イ）が下食器かご引出し状態、（ロ）が上食器かご引出し状態をそれぞれ示す図
【図５】図３（ハ）のＡ−Ａ線に沿う拡大断面図
【図６】図３（イ）のＢ−Ｂ線に沿う拡大断面図
【図７】図６相当の参考図
【図８】図１のＣ−Ｃ線に沿う拡大断面図
【図９】扉閉鎖直前状態での図８相当図
【図１０】図３（イ）のＤ−Ｄ線に沿う拡大断面図
【図１１】図３（イ）のＥ−Ｅ線に沿う拡大断面図
【図１２】図１１のＦ−Ｆ線に沿う断面図
【図１３】本発明の第２実施例を示す図５相当図
【図１４】本発明の第３実施例を示す図１相当図
【図１５】図５相当図
【図１６】図３相当図
【図１７】従来の第１例を示す扉開放状態の側面図
【図１８】従来の第２例を示す図１７相当図
【図１９】従来の第３例を示す図１７相当図
【図２０】従来の第４例を示す図１７相当図
【符号の説明】
【００６３】
図面中、４１は本体、４２は扉、４３は下扉、４４は上扉、４７は洗浄室、４８は開口部、５３は手懸部（閉操作部）、５４は排気口、５５は押釦（解放操作体）、７８は支持部材、８７はダンパ機構、８８は引張コイルスプリング（付勢部材）、８９はラッチ、９７は開口部を示す。
【図１】
2006204354.tif 000003
【図２】
2006204354.tif 000004
【図３】
2006204354.tif 000005
【図４】
2006204354.tif 000006
【図５】
2006204354.tif 000007
【図６】
2006204354.tif 000008
【図７】
2006204354.tif 000009
【図８】
2006204354.tif 000010
【図９】
2006204354.tif 000011
【図１０】
2006204354.tif 000012
【図１１】
2006204354.tif 000013
【図１２】
2006204354.tif 000014
【図１３】
2006204354.tif 000015
【図１４】
2006204354.tif 000016
【図１５】
2006204354.tif 000017
【図１６】
2006204354.tif 000018
【図１７】
2006204354.tif 000019
【図１８】
2006204354.tif 000020
【図１９】
2006204354.tif 000021
【図２０】
2006204354.tif 000022